(57)【要約】      （修正有）【課題】現場の従業員に優先すべき仕事の内容を了解させ、それによって大幅に生産効率を向上させ、安全な設備運転を有効に保障する設備状態の監視システムを提供する。【解決手段】ＰＬＣコントローラ、設備状態収集器、映像収集器、大気質量検出器、ディスプレイ、警報器、通信設備、監視センター及び携帯端末を含み、ＰＬＣコントローラは、設備状態収集器、映像収集器、大気質量検出器、ディスプレイ及び警報器それぞれに接続され、設備状態収集器、映像収集器及び大気質量検出器により収集された信号を受信し、収集された信号に基づいてディスプレイ及び警報器の出力を制御し、通信設備により監視センター及び携帯端末それぞれに接続される設備状態を監視する。設備状態の監視システムは、設備状態収集器により信号を収集し、両面のＬＥＤディスプレイにより現在の設備状態の情報をリアルタイムで表示して、設備の通常動作状態と故障状態を詳しく区別する。【選択図】図１
0003212903.tif 000002
【実用新案登録請求の範囲】
【請求項１】
ＰＬＣコントローラ、設備状態収集器、映像収集器、大気質量検出器、ディスプレイ、警報器、通信設備、監視センター及び携帯端末を含み、前記ＰＬＣコントローラは、設備状態収集器、映像収集器、大気質量検出器、ディスプレイ及び警報器それぞれに接続され、前記ＰＬＣコントローラは、設備状態収集器、映像収集器及び大気質量検出器により収集された信号を受信し、前記ＰＬＣコントローラは収集された信号に基づいてディスプレイ及び警報器の出力を制御し、前記ＰＬＣコントローラは通信設備により監視センター及び携帯端末それぞれに接続され、前記ＰＬＣコントローラは通信設備により監視センター及び携帯端末それぞれに信号を送信することを特徴とする設備状態の監視システム。
【請求項２】
前記携帯端末は、通信設備によりＰＬＣコントローラに接続されるスマートフォン及びタブレットＰＣを含むことを特徴とする請求項１に記載の設備状態の監視システム。
【請求項３】
前記ＰＬＣコントローラは、ＲＳ２３２、ＲＳ４８５或いはＵＳＢ通信により、設備状態収集器、映像収集器、大気質量検出器、ディスプレイ及び警報器それぞれに接続されることを特徴とする請求項１に記載の設備状態の監視システム。
【請求項４】
前記ＰＬＣコントローラは、ＴＣＰ通信、ＩＰ通信或いはWI-FI通信により、監視センター及び携帯端末それぞれに接続されることを特徴とする請求項１に記載の設備状態の監視システム。
【請求項５】
前記ディスプレイは、第１のＬＥＤ表示面（１）と第２のＬＥＤ表示面（２）を含む両面のＬＥＤディスプレイを利用することを特徴とする請求項１に記載の設備状態の監視システム。
【請求項６】
前記ディスプレイの底部には、回転する台座（３）が設置されていることを特徴とする請求項１に記載の設備状態の監視システム。
【考案の詳細な説明】
【技術分野】
【０００１】
本考案は、設備状態を監視する技術分野に関し、特に、設備状態の監視システムに関する。
【背景技術】
【０００２】
現在、検査パッケージング設備の状態に係る表示モードは、検査パッケージング設備の誕生からずっと利用されている赤、黄、緑という三色のランプに分かれている。しかしながら、この表示モードは、設備状態を詳しくて表示することができないため、現場にいる技術者や操作者が効果的に優先と緊急の事項を区別することができず、生産効率に影響を与え、安全上の問題が存在する。
【０００３】
従来技術では、検査やパッケージングを行う工場の大気汚染が深刻であるため、現場にいる技術者や操作者が直ぐに発見しにくく、安全上の問題が存在する。
【考案の概要】
【考案が解決しようとする課題】
【０００４】
本考案は、簡単な構成、使用が便宜であり、しかも安全性の高い設備状態の監視システムを提供することを目的とする。
【課題を解決するための手段】
【０００５】
本考案の目的を達成する技術案は、以下の通りである。ＰＬＣコントローラ、設備状態収集器、映像収集器、大気質量検出器、ディスプレイ、警報器、通信設備、監視センター及び携帯端末を含み、前記ＰＬＣコントローラは、設備状態収集器、映像収集器、大気質量検出器、ディスプレイ及び警報器それぞれに接続され、前記ＰＬＣコントローラは設備状態収集器、映像収集器及び大気質量検出器により収集された信号を受信し、前記ＰＬＣコントローラは収集された信号に基づいてディスプレイ及び警報器の出力を制御し、前記ＰＬＣコントローラは通信設備により監視センター及び携帯端末それぞれに接続され、前記ＰＬＣコントローラは通信設備により監視センター及び携帯端末に信号を送信することを特徴とする設備状態の監視システム。
【０００６】
好ましくは、前記携帯端末は、通信設備によりＰＬＣコントローラに接続されるスマートフォンやタブレットを含む。
【０００７】
好ましくは、前記ＰＬＣコントローラは、ＲＳ２３２、ＲＳ４８５或いはＵＳＢ通信により、設備状態収集器、映像収集器、大気質量検出器、ディスプレイ及び警報器それぞれに接続される。
【０００８】
好ましくは、前記ＰＬＣコントローラは、ＴＣＰ通信、ＩＰ通信或いはWI-FI 通信により、監視センター及び携帯端末それぞれに接続される。
【０００９】
好ましくは、前記ディスプレイは、第１のＬＥＤ表示面と第２のＬＥＤ表示面を含む両面のＬＥＤディスプレイを用いる。
【００１０】
好ましくは、前記ディスプレイの底部には、回転する台座が設置されている。
【００１１】
本考案は、従来技術に比べると、以下の利点を有する。
（１）本考案の設備状態の監視システムは、設備状態収集器により信号を収集し、そして両面のＬＥＤディスプレイにより現在の設備状態の情報をリアルタイムで表示して、設備の通常動作状態と故障状態を詳しく区別することができる。これにより、現場の従業員に優先すべき仕事の内容を了解させ、それによって大幅に生産効率を向上させ、安全な設備運転を有効に保障することができる。
（２）本考案の設備状態の監視システムは、大気質量検出器により信号を収集してＰＬＣコントローラに送信し、ＰＬＣコントローラは信号と設定値とを比較して警報器の出力を制御することで、効果的に現場の大気質量の監視を保証することができる。
（３）本考案の設備状態の監視システムは、映像収集器により信号を収集してＰＬＣコントローラに送信し、ＰＬＣコントローラは通信設備により監視センター及び携帯端末それぞれに信号を送信して、監視者が遠隔で現場にいる従業員をリアルタイムで監視することを実現することができ、現場における監督と管理を便宜にすることができる。
【図面の簡単な説明】
【００１２】
以下に、図面を合わせて本考案を詳しくて説明する。
【図１】本考案の状態監視システムの構成の説明図である。
【図２】本考案に係る状態監視システムにおけるディスプレイの構成の説明図である。
【考案を実施するための形態】
【００１３】
実施例１
設備状態の監視システムは、図１に示されるように、ＰＬＣコントローラ、設備状態収集器、映像収集器、大気質量検出器、ディスプレイ、警報器、通信設備、監視センター及び携帯端末を含み、前記ＰＬＣコントローラはＲＳ２３２、ＲＳ４８５或いはＵＳＢ通信により設備状態収集器、映像収集器、大気質量検出器、ディスプレイ及び警報器それぞれに接続され、前記ＰＬＣコントローラはＴＣＰ通信、ＩＰ通信或いはWI-FI 通信により監視センター、携帯端末それぞれに接続され、前記携帯端末は通信設備によりＰＬＣコントローラに接続されるスマートフォンとタブレットＰＣを含み、前記ＰＬＣコントローラは設備状態収集器により収集された信号を受信し、そして両面のＬＥＤディスプレイにより現在の設備状態の情報をリアルタイムで表示して、設備の通常動作状態と故障状態を詳しく区別することができる。現場の従業員に優先すべき仕事の内容を了解させ、それによって大幅に生産効率を向上させ、安全な設備運転を有効に保障する。前記ＰＬＣコントローラは映像収集器により収集された信号を受信し、そして通信設備により監視センター及び携帯端末それぞれに信号を送信し、監視者が遠隔で現場にいる従業員をリアルタイムで監視することを実現し、現場の監督と管理を便宜にすることができる。前記ＰＬＣコントローラは大気質量検出器により収集された信号を受信し、ＰＬＣコントローラは信号と設定値とを比較して警報器の出力を制御し、効果的に現場における大気質量の監視を保証することができる。
【００１４】
図２に示されるように、前記ディスプレイは第１のＬＥＤ表示面１と第２のＬＥＤ表示面２を含む両面のＬＥＤディスプレイを利用する。前記ディスプレイの底部には回転する台座３が設置される。本考案の設備状態の監視システムは、両面のＬＥＤディスプレイを利用し、現場にいる従業員の随時観察が可能となる。回転する台座によれば、ディスプレイの角度を随時調整することができ、現場にいる従業員の随時観察が可能となる。
【００１５】
上述したように、本考案の設備状態の監視システムは、設備状態収集器により収集された信号に基づいて、両面のＬＥＤディスプレイにより現在の設備状態の情報をリアルタイムで表示して、設備の通常動作状態と故障状態を詳しく区別することができる。そして、現場の従業員に優先すべき仕事の内容を了解させ、それによって大幅に生産効率を向上させ、安全な設備運転を有効に保障する。本考案の設備状態の監視システムは、大気質量検出器により収集された信号をＰＬＣコントローラに送信し、ＰＬＣコントローラは信号と設定値とを比較し警報器の出力を制御して、効果的に現場の大気質量の監視を保証する。本考案の設備状態の監視システムは、映像収集器により収集された信号をＰＬＣコントローラに送信し、ＰＬＣコントローラは通信設備により監視センター及び携帯端末それぞれに信号を送信し、監視者が遠隔で現場にいる従業員をリアルタイムで監視することを実現し、現場における監督と管理が便宜になる。
【図１】
0003212903.tif 000003
【図２】
0003212903.tif 000004